(57)【要約】      （修正有）【課題】書の練習をする際に準備も後片付けも手間がかからず、小学生低学年の子供などが、服や周囲を墨で汚したり、繊細な筆先を駄目にしてしまう可能性もなく、且つ、毛筆のような扱い方で、毛筆のような書き味を再現できる書道練習用筆記具を提供する。【解決手段】磁気表示板に使用する書道練習用筆記具１であって、略円柱形状の細長い筆管２の先端に、屈曲した、側面視形状が逆くの字状のバネ材３を取付け、そのバネ材３の少なくとも先端部分の底面には、磁性体４が固着している。【選択図】図１
2015077755.tif 000002
【特許請求の範囲】
【請求項１】
磁気表示板に使用する筆記具であって、筆管の先端に、屈曲した、側面視形状が逆くの字状のバネ材を取付け、前記バネ材の少なくとも先端部分の底面には、磁性体が固着していることを特徴とする、書道練習用筆記具。
【請求項２】
前記磁性体は、厚みのある平板状であって、且つ、筆記面が先端に向かって暫時幅狭形状であることを特徴とする、請求項１記載の書道練習用筆記具。
【発明の詳細な説明】
【技術分野】
【０００１】
本発明は、書道練習用の筆記具に関するものである。
【背景技術】
【０００２】
書は道具として毛筆を使用する以上、この毛筆を上手に扱える必要があり、美しい文字を書くためには、何度も筆の扱い方を練習することが重要である。しかしながら、書の練習をする際には準備も後片付けも手間がかかると共に、小学生低学年の子供などは、服や周囲を墨で汚したり、繊細な筆を駄目にしてしまう可能性も高い。この手の問題を解決できる可能性のあるものとしては、後記特許文献で提案されるものが挙げられる。
【０００３】
特許文献１では、線の太さを自由にコントロールできるものであって、磁気画板に使用する、軸体の先端に弾性磁石で形成されたペン先を備えた筆記具が提案されている。
【０００４】
特許文献２では、細長い保持軸の先端に少なくとも後端部にゴム板からなる強い弾性力を有する弾性部材を取付け、弾性部材の先端部に弾性部材とは別体の筆記用磁石を設け、筆記用磁石に、弾性部材の先端面より広い面積を有する筆記面を、弾性部材の軸線に平行か又は傾斜させて設けた磁気表示板用筆記具が提案されている。
【先行技術文献】
【特許文献】
【０００５】
【特許文献１】特開平７−３０９０９６号公報
【特許文献２】実公平８−８１５４号公報
【発明の概要】
【発明が解決しようとする課題】
【０００６】
しかしながら、前記特許文献１で提案されるような筆記具では、筆記線幅の変化にも限度があり、毛筆のような書き味には程遠いものしか得られない。また、強い筆記圧を繰り返し加えると、弾性磁石の弾性限界がきて脆くなり、ペン先がへたる可能性もある。
【０００７】
また、前記特許文献２で提案されるような筆記具では、力の加わるベクトルが単純であるために書き味が固く、毛筆の書き味を再現するのは難しいし、筆圧をかけた際には保持軸と弾性部材が固着している部分への負荷も大きく、壊れやすい。また、筆圧を強くしても、磁石と弾性部材の境界面付近は浮きやすく、実際に書いた文字は下部分がかすれたものになりがちであって、実際に綺麗に書ける筆記線幅は少ない。
【０００８】
本発明は上記実情を考慮したもので、その解決課題は、書の練習をする際には準備も後片付けも手間がかからず、小学生低学年の子供などが、服や周囲を墨で汚したり、繊細な筆を駄目にしてしまう可能性もなく、且つ、毛筆のような扱い方で、毛筆のような書き味を再現できる書道練習用筆記具を提供することである。
【課題を解決するための手段】
【０００９】
前記の課題を解決するための本発明は、磁気表示板に使用する筆記具であって、筆管の先端に、屈曲した、側面視形状が逆くの字状のバネ材を取付け、そのバネ材の少なくとも先端部分の底面には、磁性体が固着していることを特徴とする。
【００１０】
そして、より毛筆に近い書き味を再現するためには、磁性体は、厚みのある平板状で、且つ、筆記面が先端に向かって暫時幅狭形状であることが好ましい。
【発明の効果】
【００１１】
本発明のような構成であれば、屈曲した、側面視形状が逆くの字状のバネ材によって、毛筆のように筆管を立てた状態で筆圧を加えやすい状態であると共に、筆管を立てた状態でかけられた筆圧は、毛筆のようなわずかな弾力に押し返されつつ、少なくとも異なる２方向のベクトルに加わる力となり、その結果、書く文字に太さの緩急をつけたり、ハネやハライなどの変化をつけたり、文字に丸みをつけたりすることが容易な、まるで毛筆のような書き味を再現することが可能である。また、本発明のような構成であれば、書の練習をする際には準備も後片付けも手間がかからず、小学生低学年の子供などが、服や周囲を墨で汚したり、繊細な筆に筆圧をかけすぎて壊してしまう可能性もない。
【００１２】
また磁性体が、厚みのある平板形状で、且つ、筆記面が先端に向かって暫時幅狭形状であれば、毛筆の穂首が筆管から円錐状に伸びている様を再現でき、より毛筆のような書き味を得ることができる。
【図面の簡単な説明】
【００１３】
【図１】本発明による書道練習用筆記具の第一実施形態を示す斜視図である。
【図２】（イ）、（ロ）図は、本発明による書道練習用筆記具の、筆圧をかける前と筆圧をかけた後の状態を示す側面図である。
【図３】本発明による書道練習用筆記具のバネ材（板バネ）の屈曲角度を示すための側面図である。
【図４】（イ）、（ロ）、（ハ）図は、本発明の書道練習用筆記具における筆記面の様々な形状を例示した平面図である。
【図５】本発明による書道練習用筆記具の第二実施形態を示す斜視図である。
【発明を実施するための形態】
【００１４】
以下、この発明の実施の形態を図１から図５を参照して詳細に説明する。本発明の書道練習用筆記具１の第一実施形態は、図１に示すように、筆管２と、板バネ３と、磁性体４と、固定部材５と、で構成されている。そして、本発明の書道練習用筆記具１は、図２（イ）、図２（ロ）に示すように、磁気表示板１０に接触することで、磁気表示板１０の表面に文字を書くことができるものである。なお、磁気表示板１０は、従来からある、表面に文字や絵を書くことができる磁気泳動表示部材であって、内部に内包する磁性体が、筆記具に設けられた磁石の磁力により前面に引き寄せられることで文字や絵を書くことができるものである。
【００１５】
筆管２は、略円柱形状であって、その太さは、板バネ３の幅とほぼ同等、１２ｍｍ程度である。そして、材質としては、竹やプラスチックが好適であるが、毛筆で時折見られるような、翡翠や紫檀、陶磁やべっこう、漆塗りのものであってもよい。そして、筆管２の先端には、板バネ３の上端部が埋設し、板バネ３は、固定部材５によって筆管２に固定されている。なお、固定部材５は、図１に示すような、針金のようなものが好適であるが、特にこれに限定したものではない。なお、執筆法、言い換えるならば、この筆管２の持ち方としては、人差し指と中指を筆管２にかけ、親指は指先を筆管２の軸にあて、薬指で軸を下からあてがって持つ方法、いわゆる双鉤法が好適であり、この方法の場合、指２本が筆管２にかかるため安定しやすく、圧が加わり筆力が出るため力強い線が表現出来るが、使用方法として特にこれに限定したものではない。また、筆を持つ位置は、楷書を書くときは筆管２の下部を、行書を書くときは筆管２の中ほどを、草書を書くときは筆管２の上部を持つのがよいとされているが、個人差が大きいため、本発明でも特に限定するものではない。
【００１６】
板バネ３は、上記に示したように、その上端部が筆管２に埋設しているものであって、板バネ３の上端部より下部は、筆管２の先端から、筆管２の短手方向端部側に屈曲しつつ、筆管２の長手方向に延伸しているような形で設けられるものである。そして、本実施形態例では、図１、図２（イ）に示すように、中程から大きく屈曲した、側面視形状が逆くの字状のものである。そして、本実施形態例の板バネ３の屈曲角度αは、１２０度から１４０度程度、言い換えるならば、図３に示すように、筆管２の長手方向に平行な面と、磁気表示板１０と平行な面とのなす角度、筆倒角度βは、４０度から６０度程度となるように、屈曲角度αは規定されている。そして、板バネ３の素材としては、ステンレスバネ鋼が好適であり、その厚みは０．３ｍｍから０．３５ｍｍ程度、幅は１０ｍｍから１２ｍｍ程度、屈曲軸の位置は、板バネ３の長手方向中央よりやや下部であって、書道練習用筆記具１をほぼ垂直に立て、筆圧を２００ｇ重から３００ｇ重かけることで、図２（ロ）に示すような状態、言い換えるならば、磁気表示板１０に磁性体４の筆記面４ａ全体が当接する状態になることが望ましい。なお、この２００ｇ重から３００ｇ重という筆圧は、一般的な毛筆で書を書く際にかける筆圧と同程度のものであって、この筆圧で磁気表示板１０に磁性体４の筆記面４ａ全体が当接する構成にすることは、本発明の書道練習用筆記具１の書き味を実際の毛筆に可能な限り近づけるための工夫である。なお、上記板バネ３は、中程から大きく屈曲した、側面視形状が逆くの字状のものであれば、その中で細かく複数回屈曲していても問題なく、そのことによって、異なるベクトルに力が複雑に加わり、複数のねじれも生まれ、複数の毛が束ねられた毛筆のような筆感をより再現することも可能である。
【００１７】
磁性体４は、図１に示すように、板バネ３の屈曲軸から固定点まで、言い換えるならば板バネ３の少なくとも先端部分の底面に平行に固着するものであって、２ｍｍから３ｍｍ程度の厚みを持つ、略平板状のものである。そして、磁性体４の筆記面４ａの短手方向の幅は１６ｍｍから１８ｍｍ程度、長手方向の幅は３０ｍｍから３５ｍｍ程度であって、全体的な形状は、先端に向かって暫時幅狭形状、言い換えるならば、略三角形状のものである。この形状は、図４（イ）、図４（ロ）、図４（ハ）に示すように、様々な形状のバリエーションを含むものであり、毛筆の略円錐形状の穂先に似たものを適宜選択できるものである。そして素材は、本発明の書道練習用筆記具１の書き味を実際の毛筆に可能な限り近づけるために、磁力ができるだけ強く、且つ、柔軟な、ゴム磁石であることが望ましい。なお、本発明の書道練習用筆記具１を用いて線を書く場合、図３に示す筆倒角度βが４０度以下だと、磁性体４の筆記面４ａが磁気表示板１０に接する面積は小さくなるため、かすれた、自分の想定とは異なる線しか書けない。このことは、実際に毛筆を４０度以下の角度に倒して線を書くと、一本の線の中に筆圧の違う部分が生じやすく、線がかすれやすくなる様を再現するための工夫であって、本発明の書道練習用筆記具１を使用して文字を書く際には、毛筆と同じように、できる限り筆を立てることが綺麗な文字を書く際のポイントである。
【００１８】
なお、本発明の書道練習用筆記具１は、図５で示す第二実施形態のように、筆管２の両端部にダルマ６や、コツ７、かけひも８などを有するものであっても問題はなく、その他、本発明の趣旨を逸脱しない範囲において適宜変更可能である。
【符号の説明】
【００１９】
１    書道練習用筆記具
２    筆管
３    バネ材（板バネ）
４    磁性体
４ａ  筆記面
５    固定部材
６    ダルマ
７    コツ
８    かけひも
１０  磁気表示板
α    屈曲角度
β    筆倒角度
【図１】
2015077755.tif 000003
【図２】
2015077755.tif 000004
【図３】
2015077755.tif 000005
【図４】
2015077755.tif 000006
【図５】
2015077755.tif 000007